(57)【要約】      （修正有）【課題】細長い小物の視認性を高めながらも、比較的短い時間に複数回にわたって使用される細長い小物を一時的により取りやすくしつつ、小物が横転することを抑制することができるキャビネットを提供する。【解決手段】洗面台の上方に配置されるキャビネットであって、前方が開いた収納空間に配置される載置部材であって、前壁部１４２と、前壁部１４２よりも後方に設けられ収納空間に配置された状態において後方に向かって上方へ傾斜した傾斜面１４８ａを有する傾斜部１４８と、前壁部１４２と傾斜部１４８との間に設けられ前壁部１４２と傾斜部１４８とに接続された底部１４１であって上面が略水平となる状態で収納空間に配置される底部１４１と、細長い小物が傾斜面１４８ａに沿って立てられた状態から細長い小物の下端が上面を滑ることで横転することを抑制する横転抑制手段と、を有する。【選択図】図５
2016178998.tif 000002
【特許請求の範囲】
【請求項１】
洗面台の上方に配置されるキャビネットであって、
前方が開いた収納空間に配置される載置部材であって、
前壁部と、
前記前壁部よりも後方に設けられ前記収納空間に配置された状態において後方に向かって上方へ傾斜した傾斜面を有する傾斜部と、
前記前壁部と前記傾斜部との間に設けられ前記前壁部と前記傾斜部とに接続された底部であって上面が略水平となる状態で前記収納空間に配置される底部と、
細長い小物が前記傾斜面に沿って立てられた状態から前記細長い小物の下端が前記上面を滑ることで横転することを抑制する横転抑制手段と、
を有する載置部材を備えたことを特徴とするキャビネット。
【請求項２】
前記横転抑制手段は、前記傾斜部と前記底部との間の境界部または前記境界部の近傍に設けられ上方へ突出したリブであることを特徴とする請求項１記載のキャビネット。
【請求項３】
前記リブは、前記境界部または前記底部における前記境界部の近傍に設けられたことを特徴とする請求項２記載のキャビネット。
【請求項４】
前記載置部材が前記収納空間に配置された状態において、複数の前記リブが前後方向に並んで設けられ、
前記複数のリブのそれぞれの先端と、前記上面と、の間の距離は、互いに同じであることを特徴とする請求項３記載のキャビネット。
【発明の詳細な説明】
【技術分野】
【０００１】
本発明の態様は、一般的に、キャビネットに関する。
【背景技術】
【０００２】
例えば、洗面台の上方に配置されるミラーキャビネットであって、傾斜板状に形成された複数の格子が収納空間において並列に配設されたミラーキャビネットがある（特許文献１）。特許文献１に記載されたミラーキャビネットの格子の上面には、ストッパが形成されている。格子の上面は、ストッパから後方へ向かって上方へ傾斜している。これによれば、細長い小物を傾斜板状の格子に沿って立てた状態で収納することができるため、視認性の向上を図ることができる。
【０００３】
しかし、特許文献１に記載されたミラーキャビネットの格子の上面は、全体にわたって傾斜しているため、使用者が化粧をするときに比較的短い時間に複数回にわたって使用する細長い化粧品（例えば口紅）などの細長い小物をより取りやすくするために、格子の上面に対して垂直方向に伸びるよう小物を格子の上面に一時的に立てた状態で載置すると、細長い小物が前方へ傾斜してしまう。そのため、細長い小物が格子から落下するおそれがあり、細長い小物を安定させた状態で一時的により取りやすくなるよう立てて載置することが困難である。
【０００４】
これに対して、例えば、ストッパと、格子の上面（傾斜した面）と、の間に上面が略水平な部分を設ける１つの手段が挙げられる。これにより、細長い小物をこの上面が略水平な部分に垂直に立てることで、細長い小物を鉛直方向上方に伸びるように立てて載置することができ、一時的に細長い小物を安定させた状態で、より取りやすくなるよう立てることができる。  
しかし、この場合には、例えば使用者が化粧を終え、細長い小物を傾斜板状の格子の上面（傾斜した面）に沿って立てた状態で収納すると、細長い小物の下端が略水平な部分の上面において前方へ滑り、細長い小物が横転してしまうという、新たな問題が生じることを発見した。
【先行技術文献】
【特許文献】
【０００５】
【特許文献１】実開昭５８−４８８９１号公報
【発明の概要】
【発明が解決しようとする課題】
【０００６】
本発明は、かかる課題の認識に基づいてなされたものであり、細長い小物の視認性を高めながらも、比較的短い時間に複数回にわたって使用される細長い小物を一時的により取りやすくしつつ、小物が横転することを抑制することができるキャビネットを提供することを目的とする。
【課題を解決するための手段】
【０００７】
第１の発明は、洗面台の上方に配置されるキャビネットであって、前方が開いた収納空間に配置される載置部材であって、前壁部と、前記前壁部よりも後方に設けられ前記収納空間に配置された状態において後方に向かって上方へ傾斜した傾斜面を有する傾斜部と、前記前壁部と前記傾斜部との間に設けられ前記前壁部と前記傾斜部とに接続された底部であって上面が略水平となる状態で前記収納空間に配置される底部と、細長い小物が前記傾斜面に沿って立てられた状態から前記細長い小物の下端が前記上面を滑ることで横転することを抑制する横転抑制手段と、を有する載置部材を備えたことを特徴とするキャビネットである。
【０００８】
このキャビネットによれば、細長い小物が傾斜面に沿って立てられた状態から横転することを抑制することができる。そのため、細長い小物の視認性の向上を図ることができる。  
また、使用者は、化粧をするときに、比較的短い時間に複数回にわたって使用する化粧品（例えば口紅など）をその使用者の目線よりも高い位置に配置された載置部材の底部に略鉛直方向上方に延びるように立てた状態で一時的に置くことができる。そのため、水に濡れやすい洗面カウンタなどに化粧品を一時的に置く必要がなく、化粧品を取りやすい状態にすることができるとともに、化粧品が濡れることを抑制することができる。
【０００９】
第２の発明は、第１の発明において、前記横転抑制手段は、前記傾斜部と前記底部との間の境界部または前記境界部の近傍に設けられ上方へ突出したリブであることを特徴とするキャビネットである。
【００１０】
このキャビネットによれば、リブを設けるという簡単な構造により、細長い小物が傾斜面に沿って立てられた状態から横転することを抑制することができる。また、リブが底部と傾斜部との間の境界部あるいは境界部の近傍に設けられているため、傾斜方向における載置スペースを傾斜面において十分に確保することができる。そのため、載置部材は、リブが設けられた場合でも、傾斜面の傾斜方向の長さと略等しい長さの小物を収納することができる。そのため、載置部材の収納性が犠牲になることを抑えることができる。
【００１１】
第３の発明は、第２の発明において、前記リブは、前記境界部または前記底部における前記境界部の近傍に設けられたことを特徴とするキャビネットである。
【００１２】
このキャビネットによれば、境界部上方の傾斜部にリブを設ける場合に比べて、より低い位置で小物を引っ掛けることができるため、小物がリブに引っ掛かることなく横転することを抑制することができる。
【００１３】
第４の発明は、第３の発明において、前記載置部材が前記収納空間に配置された状態において、複数の前記リブが前後方向に並んで設けられ、前記複数のリブのそれぞれの先端と、前記上面と、の間の距離は、互いに同じであることを特徴とするキャビネットである。
【００１４】
このキャビネットによれば、傾斜面に沿って立てられた細長い小物とリブとの間の引っ掛かりが外れた場合でも、細長い小物は、引っ掛かりが外れたリブよりも前側に設けられた別のリブに引っ掛かることができる。例えば、底部に一時的に置かれた小物を使用者が取り出す際に、その小物が傾斜面に沿って立てられた別の小物の下端に当たることがある。すると、傾斜面に沿って立てられた別の小物と、リブと、の間の引っ掛かりが外れる。この場合であっても、傾斜面に沿って立てられた別の小物は、引っ掛かりが外れたリブよりも前側に設けられた別のリブに引っ掛かることができる。これにより、小物が底面において前方へ滑ることを抑え、小物が横転することを抑えることができる。また、複数のリブのそれぞれの高さが互いに略同じであるため、小物の横転を抑えるとともに、小物が底部に一時的に置かれるときの安定性を確保することができる。
【発明の効果】
【００１５】
本発明の態様によれば、細長い小物の視認性を高めながらも、比較的短い時間に複数回にわたって使用される細長い小物を一時的により取りやすくしつつ、小物が横転することを抑制することができるキャビネットが提供される。
【図面の簡単な説明】
【００１６】
【図１】本発明の実施の形態にかかるキャビネットが備えるキャビネット本体を表す模式的平面図である。
【図２】本実施形態にかかるキャビネットを表す模式的平面図である。
【図３】図１に表した領域Ａ１を拡大して表した模式的拡大図である。
【図４】本実施形態の第１の収納トレーを表す模式的斜視図である。
【図５】本実施形態の第２の収納トレーを表す模式的斜視図である。
【図６】図２に表した切断面Ｂ−Ｂにおける模式的断面図である。
【図７】図２に表した切断面Ｂ−Ｂにおける模式的断面図である。
【発明を実施するための形態】
【００１７】
以下、本発明の実施の形態について図面を参照しつつ説明する。なお、各図面中、同様の構成要素には同一の符号を付して詳細な説明は適宜省略する。  
図１は、本発明の実施の形態にかかるキャビネットが備えるキャビネット本体を表す模式的平面図である。  
図２は、本実施形態にかかるキャビネットを表す模式的平面図である。  
図３は、図１に表した領域Ａ１を拡大して表した模式的拡大図である。
【００１８】
図１および図２に表したように、本実施形態にかかるキャビネット１００は、キャビネット本体１１０と、扉１２０と、第１の収納トレー１３０と、第２の収納トレー（載置部材）１４０と、照明部１５０と、を備える。例えば、キャビネット１００は、洗面化粧台に用いられ、一般的には、洗面台の上方に配置される。
【００１９】
本願明細書において、「上方」とは、鉛直方向であってキャビネット１００の使用者からみて上側の方向をいう。本願明細書において、「下方」とは、鉛直方向であってキャビネット１００の使用者からみて下側の方向をいう。本願明細書において、「右側方」とは、水平方向であってキャビネット１００に向かう使用者からみて右側の方向をいう。本願明細書において、「左側方」とは、水平方向であってキャビネット１００に向かう使用者からみて左側の方向をいう。本願明細書において、「前方」とは、水平方向であってキャビネット１００に向かう使用者からみて手前側の方向をいう。本願明細書において、「後方」とは、水平方向であってキャビネット１００に向かう使用者からみて奥側の方向をいう。
【００２０】
キャビネット本体１１０は、上パネル１１１と、下パネル１１２と、左パネル１１３と、右パネル１１４と、仕切パネル１１５と、後パネル１１６と、を有する。上パネル１１１は、キャビネット本体１１０の上部において左右方向に延びている。下パネル１１２は、キャビネット本体１１０の下部において左右方向に延びている。左パネル１１３は、キャビネット本体１１０の左側の部分において上下方向に延びている。右パネル１１４は、キャビネット本体１１０の右側の部分において上下方向に延びている。仕切パネル１１５は、左パネル１１３と右パネル１１４との間において上下方向に延びている。
【００２１】
図１に表したキャビネット本体１１０は、２つの仕切パネル１１５を有している。但し、本実施形態りキャビネット本体１１０は、２つの仕切パネル１１５を有することには限定されず、例えば１つの仕切パネル１１５を有していてもよいし、３つ以上の仕切パネル１１５を有していてもよい。
【００２２】
図１に表したキャビネット１００では、上パネル１１１と、下パネル１１２と、後パネル１１６と、左パネル１１３と、左側の仕切パネル１１５と、で囲まれた領域において収納空間１０１（図１では左側の収納空間）が形成されている。上パネル１１１と、下パネル１１２と、後パネル１１６と、左側の仕切パネル１１５と、右側の仕切パネル１１５と、で囲まれた領域において収納空間１０１（図１では中央の収納空間）が形成されている。上パネル１１１と、下パネル１１２と、後パネル１１６と、右側の仕切パネル１１５、右パネル１１４と、で囲まれた領域において収納空間１０１（図１では右側の収納空間）が形成されている。
【００２３】
図１および図２に表したように、左パネル１１３は、溝１１３ａを有する。右パネル１１４は、溝１１４ａを有する。仕切パネル１１５は、溝１１５ａを有する。溝１１３ａ、１１４ａ、１１５ａは、収納空間１０１の内側に設けられている。溝１１３ａ、１１４ａ、１１５ａのそれぞれは、前後方向に延びている。溝１１３ａ、１１４ａ、１１５ａの少なくともいずれかは、互いに異なる高さに設けられている。後パネル１１６は、収納空間１０１の後方に設けられ、被係合部１１６ａを有する。
【００２４】
扉１２０は、収納空間１０１の前方に設けられている。扉１２０は、キャビネット本体１１０および扉１２０に固定されたヒンジ１２１により開閉可能とされている。図１に表したように、扉１２０が開いた状態では、収納空間１０１の前方が開いている。閉じられた状態の扉１２０の前方部には、例えば鏡などが設けられいてもよい。
【００２５】
照明部１５０は、上パネル１１１に設けられ、キャビネット１００の前方に光を照射する。
【００２６】
図３に表したように、第１の収納トレー１３０および第２の収納トレー１４０は、収納空間１０１に配置される。第２の収納トレー１４０は、比較的倒れやすい細長い小物（例えば口紅やリップクリームなど）２０１を載置面に沿って立てた状態で収納することができる。
【００２７】
ここで、第１の収納トレー１３０および第２の収納トレー１４０について、図面を参照しつつ説明する。  
図４は、本実施形態の第１の収納トレーを表す模式的斜視図である。  
図５は、本実施形態の第２の収納トレーを表す模式的斜視図である。
【００２８】
図４に表したように、第１の収納トレー１３０は、底部１３１と、前壁部１３２と、後壁部１３３と、左壁部１３４と、右壁部１３５と、を有する。底部１３１は、第１の収納トレー１３０の底面１３１ａを形成する。第１の収納トレー１３０がキャビネット本体１１０に取り付けられた状態では、底面１３１ａは、略水平となる（図６および図７参照）。前壁部１３２は、底部１３１の前方部に接続され、底部１３１からみて略垂直に延びている。後壁部１３３は、底部１３１の後方部に接続され、底部１３１からみて略垂直に延びている。左壁部１３４は、底部１３１の左側方部に接続され、底部１３１からみて略垂直に延びている。右壁部１３５は、底部１３１の右側方部に接続され、底部１３１からみて略垂直に延びている。第１の収納トレー１３０がキャビネット本体１１０に取り付けられた状態では、前壁部１３２と、後壁部１３３と、左壁部１３４と、右壁部１３５と、のそれぞれは、略鉛直に延びている。
【００２９】
第１の収納トレー１３０は、左突起部１３６と、右突起部１３７と、第１の係合部１３９と、をさらに有する。左突起部１３６は、左壁部１３４の外側の面に付設され、固定部１３６ａと、撓み部１３６ｂと、を有する。固定部１３６ａは、左壁部１３４の外側の面に付設されている。撓み部１３６ｂは、左壁部１３４の外側の面には設けられておらず、固定部１３６ａに設けられている。図３に表した第１の収納トレー１３０では、２つの撓み部１３６ｂが固定部１３６ａの両側（第１の収納トレー１３０がキャビネット本体１１０に取り付けられた状態において前側および後側）に設けられている。
【００３０】
右突起部１３７は、右壁部１３５の外側の面に付設され、固定部１３７ａと、撓み部１３７ｂと、を有する。固定部１３７ａは、右壁部１３５の外側の面に付設されている。撓み部１３７ｂは、右壁部１３５の外側の面には取り付けられておらず、固定部１３７ａに取り付けられている。図３に表した第１の収納トレー１３０では、２つの撓み部１３７ｂが固定部１３７ａの両側（第１の収納トレー１３０がキャビネット本体１１０に取り付けられた状態において前側および後側）に設けられている。
【００３１】
第１の係合部１３９は、後壁部１３３の外側の面に付設されている。つまり、第１の係合部１３９は、第１の収納トレー１３０の後端部（第１の後端部）に設けられている。第１の収納トレー１３０がキャビネット本体１１０に取り付けられた状態において、第１の係合部１３９は、キャビネット本体１１０の被係合部１１６ａと係合する。この詳細については、後述する。
【００３２】
図５に表したように、第２の収納トレー１４０は、底部１４１と、前壁部１４２と、後壁部１４３と、左壁部１４４と、右壁部１４５と、傾斜部１４８と、を有する。底部１４１は、第２の収納トレー１４０の底面（上面）１４１ａを形成する。第２の収納トレー１４０がキャビネット本体１１０に取り付けられた状態では、底面１４１ａは、略水平となる（図６および図７参照）。前壁部１４２は、底部１４１の前方部に接続され、底部１４１からみて略垂直に延びている。傾斜部１４８は、底部１４１の後方部に接続され、傾斜面１４８ａを有する。第２の収納トレー１４０がキャビネット本体１１０に取り付けられた状態において、傾斜面１４８ａは、後方に向かって上方へ傾斜している。後壁部１４３は、傾斜部１４８の後方部に接続され、底部１４１からみて略垂直に延びている。左壁部１４４は、底部１４１の左側方部および傾斜部１４８の左側方部に接続され、底部１４１からみて略垂直に延びている。右壁部１４５は、底部１４１の右側方部および傾斜部１４８の右側方部に接続され、底部１４１からみて略垂直に延びている。第２の収納トレー１４０がキャビネット本体１１０に取り付けられた状態では、前壁部１４２と、後壁部１４３と、左壁部１４４と、右壁部１４５と、のそれぞれは、略鉛直に延びている。
【００３３】
第２の収納トレー１４０は、左突起部１４６と、右突起部１４７と、第２の係合部１４９と、をさらに有する。第２の収納トレー１４０の左突起部１４６の構造は、第１の収納トレー１３０の左突起部１３６の構造と同様である。第２の収納トレー１４０の右突起部１４７の構造は、第１の収納トレー１３０の右突起部１３７の構造と同様である。第２の係合部１４９は、後壁部１４３の外側の面に付設されている。つまり、第２の係合部１４９は、第２の収納トレー１４０の後端部（第２の後端部）に設けられている。第２の収納トレー１４０がキャビネット本体１１０に取り付けられた状態において、第２の係合部１４９は、キャビネット本体１１０の被係合部１１６ａと係合する。この詳細については、後述する。
【００３４】
ここで、細長い小物を傾斜面に沿って立てた状態で第２の収納トレーに収納しようとすると、細長い小物の下端が第２の収納トレーの底面において前方へ滑り、細長い小物が横転するおそれがある。
【００３５】
これに対して、本実施形態の第２の収納トレー１４０は、底面１４１ａから上方に突出したリブ（横転抑制手段）１４１ｂを有する。第２の収納トレー１４０がキャビネット本体１１０に取り付けられた状態において、リブ１４１ｂは、底面１４１ａに沿って左右方向に延びている。リブ１４１ｂは、細長い小物２０１が傾斜面１４８ａに沿って立てられた状態から細長い小物２０１の下端が底面１４１ａを滑ることで横転することを抑制する。  
また、傾斜部１４８は、傾斜面１４８ａから突出した突出部１４８ｂを有する。第２の収納トレー１４０がキャビネット本体１１０に取り付けられた状態において、突出部１４８ｂは、傾斜面１４８ａに沿って底部１４１から後壁部１４３へ向かう方向に延びている。なお、突出部１４８ｂの数は、特には限定されない。
【００３６】
これによれば、細長い小物２０１が傾斜面１４８ａに沿って立てられた状態から横転することを抑制することができる。そのため、細長い小物２０１の視認性の向上を図ることができる。  
また、使用者は、化粧をするときに、比較的短い時間に複数回にわたって使用する化粧品（例えば口紅など）をその使用者の目線よりも高い位置に配置された第２の収納トレー１４０の底部１４１に略鉛直方向上方に延びるように立てた状態で一時的に置くことができる。具体的には、使用者は、化粧品をリブ１４１ｂの先端に立てた状態で一時的に置くことができる。そのため、水に濡れやすい洗面カウンタなどに化粧品を一時的に置く必要がなく、化粧品を取りやすい状態にすることができるとともに、化粧品が濡れることを抑制することができる。
【００３７】
次に、図１〜図３に戻って説明する。第１の収納トレー１３０の左突起部１３６の構造は、第１の収納トレー１３０の右突起部１３７の構造と左右対称である。また、第２の収納トレー１４０の左突起部１４６の構造は、第２の収納トレー１４０の右突起部１４７の構造と左右対称である。さらに、図４および図５に関して前述したように、第２の収納トレー１４０の右突起部１４７の構造は、第１の収納トレー１３０の右突起部１３７の構造と同様である。そのため、第１の収納トレー１３０および第２の収納トレー１４０の取り付けに関する説明では、第１の収納トレー１３０の右突起部１３７を例に挙げる。
【００３８】
図３に表したように、第１の収納トレー１３０は、右突起部１３７（図４参照）が仕切パネル１１５の溝１１５ａに挿入されることでキャビネット本体１１０に取り付けられる。第１の収納トレー１３０がキャビネット本体１１０に取り付けられた状態では、右突起部１３７は、溝１１５ａの内部を突っ張っている。
【００３９】
具体的には、第１の収納トレー１３０がキャビネット本体１１０に取り付けられた状態では、右突起部１３７の固定部１３７ａは、撓み部１３７ｂが撓むことで溝１１５ａの下面を下方へ押している。第１の収納トレー１３０がキャビネット本体１１０に取り付けられた状態では、右突起部１３７の撓み部１３７ｂは、撓み部１３７ｂ自身が撓むことで溝１１５ａの上面を上方へ押している。これにより、第１の収納トレー１３０は、所定の摩擦力によりキャビネット本体１１０に取り付けられる。また、図１および図２に表したように、複数の溝１１３ａ、複数の溝１１４ａ、および複数の溝１１５ａが上下方向に並んで設けられているため、収納トレー１３０は、収納空間１０１における好みの高さに設置可能とされている。
【００４０】
なお、図３に表した例では、左突起部１３６（図４参照）は、左パネル１１３の溝１１３ａに挿入される。  
第１の収納トレー１３０が中央の収納空間１０１に配置される場合には、左突起部１３６は、左側の仕切パネル１１５の溝１１５ａに挿入され、右突起部１３７は、右側の仕切パネル１１５の溝１１５ａに挿入される。第１の収納トレー１３０が右側の収納空間１０１に配置される場合には、左突起部１３６は、右側の仕切パネル１１５の溝１１５ａに挿入され、右突起部１３７は、右パネル１１４の溝１１４ａに挿入される。キャビネット本体１１０に対する第２の収納トレー１４０の取り付け構造は、キャビネット本体１１０に対する第１の収納トレー１３０の取り付け構造と同様である。
【００４１】
図６は、図２に表した切断面Ｂ−Ｂにおける模式的断面図である。  
図６（ａ）は、使用者の指２０３が細長い小物２０１に掛かる前の状態を表す模式的断面図である。図６（ｂ）は、使用者の指２０３が細長い小物２０１に掛かった状態を表す模式的断面図である。
【００４２】
図６に関する説明では、説明の便宜上、第２の収納トレー１４０が取り付けられた仕切パネル１１５の溝１１５ａを「第１の溝１１５ｈ」と称する。また、第１の溝１１５ｈの１段上に設けられた仕切パネル１１５の溝１１５ａを「第２の溝１１５ｉ」と称する。また、第２の溝１１５ｉの１段上に設けられた仕切パネル１１５の溝１１５ａ（第１の溝１１５ｈの２段上に設けられた仕切パネル１１５の溝１１５ａ）を「第３の溝１１５ｊ」と称する。
【００４３】
図６に関する説明では、説明の便宜上、第１の溝１１５ｈに対応する被係合部１１６ａ（第１の収納トレー１３０が第１の溝１１５ｈに取り付けられたときに第１の係合部１３９が係合する被係合部１１６ａ）を「第１の被係合部１１６ｈ」と称する。第１の被係合部１１６ｈの１段上に設けられた被係合部１１６ａを「第２の被係合部１１６ｉ」と称する。第２の被係合部１１６ｉの１段上に設けられた被係合部１１６ａ（第１の被係合部１１６ｈの２段上に設けられた被係合部１１６ａ）を「第３の被係合部１１６ｊ」と称する。
【００４４】
ここで、複数の細長い小物が第２の収納トレーに並んで収納された場合には、使用者は、細長い小物を第２の収納トレーから取り出すときに小物の上端に指をかける。  
しかし、第２の収納トレーが取り付けられている溝の１段上に設けられた溝に第１の収納トレーが取り付けられていると、第２の収納トレーの後方部が第１の収納トレーに接近する。すると、第２の収納トレーの後方部と、第１の収納トレーと、の間に手を入れる空間がほとんど存在しないため、細長い小物を第２の収納トレーから取り出すことが困難となる。
【００４５】
これに対して、本実施形態にかかるキャビネット１００では、第２の収納トレー１４０が第１の溝１１５ｈに取り付けられた状態において、第１の収納トレー１３０が第２の溝１１５ｉに取り付けられることが抑制される。具体的には、第２の収納トレー１４０が第１の溝１１５ｈに取り付けられた場合には、第２の係合部１４９は、第１の被係合部１１６ｈではなく第２の被係合部１１６ｉと係合する。つまり、第２の係合部１４９は、第１の収納トレー１３０が第２の溝１１５ｉに取り付けられる場合において第１の係合部１３９が係合する対象となる第２の被係合部１１６ｉと係合する。そのため、第２の収納トレー１４０が第１の溝１１５ｈに取り付けられた状態では、第１の収納トレー１３０が第２の溝１１５ｉに取り付けられる場合であっても、第１の係合部１３９が第２の被係合部１１６ｉと係合することが阻止される。
【００４６】
図６（ａ）および図６（ｂ）に表した例では、第２の収納トレー１４０が第１の溝１１５ｈに取り付けられた状態では、第１の収納トレー１３０は、第３の溝１１５ｊに取り付けられる。この場合には、第１の係合部１３９は、第３の被係合部１１６ｊと係合する。
【００４７】
本実施形態によれば、第２の収納トレー１４０の上方の近接する位置に第１の収納トレー１３０が設置されることが抑制される。そのため、第２の収納トレー１４０の後方部と、第１の収納トレー１３０と、の間に指２０３を入れる空間を確保することができる。そのため、複数の細長い小物２０１が第２の収納トレー１４０に並んで収納された場合であっても、使用者は、細長い小物２０１の上端に指２０３を掛け、細長い小物２０１を第２の収納トレー１４０から取り出すことができる。
【００４８】
また、第２の収納トレー１４０は、細長い小物２０１が傾斜面１４８ａに沿って立てられた状態で細長い小物２０１を収納することができる。そのため、細長い小物２０１の視認性の向上を図ることができる。
【００４９】
また、本実施形態では、第１の収納トレー１３０が取り付けられる溝１１５ａは、第２の収納トレー１４０が取り付けられる溝１１５ａと共用される。言い換えれば、第１の収納トレー１３０が取り付けられる専用の溝、および第２の収納トレー１４０が取り付けられる専用の溝は、不要である。これにより、新たに溝を設ける必要がなく、収納空間１０１の外観が低下することを抑えることができる。
【００５０】
また、前述したように、第２の収納トレー１４０が第１の溝１１５ｈに取り付けられた状態では、第１の収納トレー１３０が第２の溝１１５ｉに取り付けられる場合であっても、第１の係合部１３９が第２の被係合部１１６ｉと係合することが阻止される。これにより、使用者が第１の収納トレー１３０を第２の溝１１５ｉに取り付けるタイミングで、使用者に対して第１の収納トレー１３０を第２の溝１１５ｉに取り付けないように促すことができる。そのため、使用者は、比較的早いタイミングで、第１の収納トレー１３０を第２の溝１１５ｉとは異なる他の溝１１５ａに取り付け直すことができる。
【００５１】
また、前述したように、第２の係合部１４９は、第１の被係合部１１６ｈではなく第２の被係合部１１６ｉと係合することで、第１の係合部１３９が第２の被係合部１１６ｉと係合することが阻止される。そのため、第２の係合部１４９を有する第２の収納トレー１４０のより簡単な構造により、第２の収納トレー１４０が不意に前方へ移動しキャビネット本体１１０から外れることを抑えるとともに、第２の収納トレー１４０の後方部と、第１の収納トレー１３０と、の間に指２０３を入れる空間を確保することができる。
【００５２】
図６に関する説明では、第１の収納トレー１３０および第２の収納トレー１４０が仕切パネル１１５の溝１１５ａに取り付けられる場合を例に挙げた。図６に関する説明は、第１の収納トレー１３０および第２の収納トレー１４０が左パネル１１３の溝１１３ａおよび右パネル１１４の溝１１４ａに取り付けられる場合についても同様である。
【００５３】
図７は、図２に表した切断面Ｂ−Ｂにおける模式的断面図である。  
図７（ａ）は、複数の細長い小物２０１のいずれかを取り出す前の状態を表す模式的断面図である。図７（ｂ）は、複数の細長い小物２０１のいずれかを取り出した後の状態を表す模式的断面図である。
【００５４】
図７（ａ）および図７（ｂ）に表したように、リブ１４１ｂは、底部１４１と傾斜部１４８との間の境界部１４１ｆあるいは境界部１４１ｆの近傍に設けられている。
【００５５】
これによれば、リブ１４１ｂを設けるという簡単な構造により、細長い小物２０１が傾斜面１４８ａに沿って立てられた状態から横転することを抑制することができる。また、リブ１４１ｂが底部１４１と傾斜部１４８との間の境界部１４１ｆあるいは境界部１４１ｆの近傍に設けられているため、傾斜方向（傾斜面１４８ａの昇降方向（傾斜面１４８ａに沿って底部１４１と後壁部１４３との間に延びる方向）：図５参照）における載置スペースを傾斜面１４８ａにおいて十分に確保することができる。そのため、第２の収納トレー１４０は、リブ１４１ｂが設けられた場合でも、傾斜面１４８ａの傾斜方向の長さと略等しい長さの小物２０１を収納することができる。そのため、第２の収納トレー１４０の収納性が犠牲になることを抑えることができる。
【００５６】
また、リブ１４１ｂは、底部１４１における境界部１４１ｆあるいは境界部１４１ｆの近傍に設けられている。  
これによれば、境界部１４１ｆ上方の傾斜部１４８にリブ１４１ｂを設ける場合に比べて、より低い位置で小物２０１を引っ掛けることができるため、小物２０１がリブ１４１ｂに引っ掛かることなく横転することを抑制することができる。
【００５７】
図７（ａ）および図７（ｂ）に表したように、第２の収納トレー１４０がキャビネット本体１１０に取り付けられた状態において、複数のリブ１４１ｂが前後方向に並んで設けられている。また、複数のリブ１４１ｂのそれぞれの先端と、底面１４１ａと、の間の距離（複数のリブ１４１ｂのそれぞれの高さ）Ｈは、互いに略同じである。
【００５８】
これによれば、傾斜面１４８ａに沿って立てられた細長い小物２０１とリブ１４１ｂとの間の引っ掛かりが外れた場合でも、長い小物２０１は、引っ掛かりが外れたリブ１４１ｂよりも前側に設けられた別のリブ１４１ｂに引っ掛かることができる。例えば、図７（ａ）に表したように、底部１４１に一時的に置かれた小物２０１を使用者が取り出す際に、その小物２０１が傾斜面１４８ａに沿って立てられた別の小物２０１の下端２０１ａに当たることがある。すると、傾斜面１４８ａに沿って立てられた別の小物２０１と、リブ１４１ｂと、の間の引っ掛かりが外れる。この場合であっても、傾斜面１４８ａに沿って立てられた別の小物２０１は、引っ掛かりが外れたリブ１４１ｂよりも前側に設けられた別のリブ１４１ｂに引っ掛かることができる。これにより、小物２０１が底面１４１ａにおいて前方へ滑ることを抑え、小物２０１が横転することを抑えることができる。また、複数のリブ１４１ｂのそれぞれの高さＨが互いに略同じであるため、小物２０１の横転を抑えるとともに、小物２０１が底部１４１（具体的にはリブ１４１ｂの先端）に一時的に置かれるときの安定性を確保することができる。
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット１００、第１の収納トレー１３０、および第２の収納トレー１４０などが備える各要素の形状、寸法、材質、配置などや溝１１３ａ、１１４ａ、１１５ａ、被係合部１１６ａ、およびリブ１４１ｂの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１００ キャビネット、  １０１ 収納空間、  １１０ キャビネット本体、  １１１ 上パネル、  １１２ 下パネル、  １１３ 左パネル、  １１３ａ 溝、  １１４ 右パネル、  １１４ａ 溝、  １１５ 仕切パネル、  １１５ａ 溝、  １１５ｈ 第１の溝、  １１５ｉ 第２の溝、  １１５ｊ 第３の溝、  １１６ 後パネル、  １１６ａ 被係合部、  １１６ｈ 第１の被係合部、  １１６ｉ 第２の被係合部、  １１６ｊ 第３の被係合部、  １２０ 扉、  １２１ ヒンジ、  １３０ 第１の収納トレー、  １３１ 底部、  １３１ａ 底面、  １３２ 前壁部、  １３３ 後壁部、  １３４ 左壁部、  １３５ 右壁部、  １３６ 左突起部、  １３６ａ 固定部、  １３６ｂ 撓み部、  １３７ 右突起部、  １３７ａ 固定部、  １３７ｂ 撓み部、  １３９ 第１の係合部、  １４０ 第２の収納トレー、  １４１ 底部、  １４１ａ 底面、  １４１ｂ リブ、  １４１ｆ 境界部、  １４２ 前壁部、  １４３ 後壁部、  １４４ 左壁部、  １４５ 右壁部、  １４６ 左突起部、  １４７ 右突起部、  １４８ 傾斜部、  １４８ａ 傾斜面、  １４８ｂ 突出部、  １４９ 第２の係合部、  １５０ 照明部、  ２０１ 小物、  ２０１ａ 下端、  ２０３ 指
【図１】
2016178998.tif 000003
【図２】
2016178998.tif 000004
【図３】
2016178998.tif 000005
【図４】
2016178998.tif 000006
【図５】
2016178998.tif 000007
【図６】
2016178998.tif 000008
【図７】
2016178998.tif 000009